(57)【要約】製品の容器（１２）に貼り付けるラベル（１０）であり、ラベル（１０）は、ラベリング証印を表示する前方部（１０）と、粘着性裏面とを備え、前面部は製品を識別するための表示部（１４）を有し、ラベルが容器（１２）に貼り付けられている場合、前方部（１０）から容易に分離可能である表示部（１４）を備える。
2005501299.tif 000002
【特許請求の範囲】
【請求項１】
ラベリング証印を表示するための前面部と、
実質的に前面部の片面を覆う粘着性裏面と、
粘着性裏面に密着する非粘着性裏面シートと、
製品を識別するための表示部と、
ラベルが容器に貼り付けられている場合に、表示部を構成し、前面部から容易に分離可能である前面部の一部と、表示部に貼り付けたままにする裏面シートの一部と粘着性裏面からはがすことが可能である裏面シートの他の部分とを備えることを特徴とする製品の容器に貼るラベル。
【請求項２】
前面部は表示部を分離しやすいように切り取り線を有する請求項１記載のラベル。
【請求項３】
前面部の切り取り線は粘着性裏面に密着する裏面シートに達するようにした請求項２記載のラベル。
【請求項４】
容器にラベルを貼り付けるための粘着性裏面から裏面シートの一部がはがされる場合、裏面シートの他の一部が表示部に貼り付けられたままになるように、裏面シートは切り取り線に近接して切り取られるようにした請求項２記載のラベル。
【請求項５】
容器に貼り付けるためのラベルであって、ラベリング証印を表示するための前面部と、実質的に前面部の片面を覆う粘着性裏面と、粘着性裏面に密着する非粘着性裏面シートおよび製品を識別するための表示部を有し、該前面部の一部は表示部を構成するラベルを提供し、
粘着性裏面から裏面シートの一部をはがして、裏面シートの他の一部を表示部に貼り付けたままにし、
裏面シートの一部が粘着性裏面からはがされた場合、露出した粘着性裏面によって容器にラベルを貼り付け、
該ラベルが容器に貼り付けられる場合、表示部が前面部から容易に分離可能となることを特徴とする容器中の製品のラベリング方法。
【請求項６】
製品の容器に貼り付けるためのラベルのロールであり、各ラベルは、
ラベリング証印を表示するための前面部と、
実質的に前面部の片面を覆う粘着性裏面と、
粘着性裏面に密着する非粘着性裏面シートと、
製品を識別するための表示部と、
ラベルが容器に貼り付けられている場合に、表示部を構成し、前面部から容易に分離可能である前面部の一部と、表示部に貼り付けたままにする裏面シートの一部と粘着性裏面からはがすことが可能である裏面シートの他の部分とを備え、
非粘着性裏面シートはロールを形成する連続的な材料を構成することを特徴とするラベルロール。
【発明の詳細な説明】
【技術分野】
【０００１】
本発明はラベルに関する。
本発明は特に、折りやすい(frangible)または分離可能な(severable)部分を備えるラベル及びラベリング方法に適用する。
本発明は特にワイン産業での使用に適している。
【背景技術】
【０００２】
ワインボトル等に貼り付けられる粘着性のラベルについては周知である。
【発明の開示】
【０００３】
本発明の目的は周知のラベルに代わるラベル及びラベリング方法を提供することである。
本発明のある様態は概して製品の容器に貼るラベルに関し、ラベルは、
ラベリング証印(indicia)を表示するための前面部と、
実質的に前面部の片面を覆う粘着性裏面と、
粘着性裏面に密着する非粘着性裏面シートと
製品を識別するための表示部(token)と、
ラベルが容器に貼り付けられている場合に、表示部を構成し、前面部から容易に分離可能である前面部の一部と、表示部に貼り付けたままにする裏面シートの一部と粘着性裏面からはがすことが可能である裏面シートの他の部分とを備える。
【０００４】
さらに、前面部は好ましくは表示部を分離しやすいように切り取り線(perforations)を有する。
【０００５】
さらに、前面部の切り取り線は好ましくは粘着性裏面に密着する裏面シートに達している。
【０００６】
容器にラベルを貼り付けるための粘着性裏面から裏面シートの一部がはがされる場合、裏面シートの他の一部が表示部に貼り付けられたままになるように、好ましくは裏面シートは切り取り線に近接して切り取られる。
【０００７】
本発明の他の様態は概して容器の中の製品のラベリング方法に関し、該方法では、
容器に貼り付けるためのラベルであって、ラベリング証印を表示するための前面部と、実質的に前面部の片面を覆う粘着性裏面と、粘着性裏面に密着する非粘着性裏面シートおよび製品を識別するための表示部を有し、該前面部の一部は表示部を構成するラベルを提供し、
粘着性裏面から裏面シートの一部をはがして、裏面シートの他の一部を表示部に貼り付けたままにし、
裏面シートの一部が粘着性裏面からはがされた場合、露出した粘着性裏面によって容器にラベルを貼り付け、
該ラベルが容器に貼り付けられる場合、表示部が前面部から容易に分離可能となる。
【０００８】
本発明の他の様態は概して製品の容器に貼り付けるためのラベルのロール(roll)に関し、各ラベルは、
ラベリング証印を表示するための前面部と、
実質的に前面部の片面を覆う粘着性裏面と、
粘着性裏面に密着する非粘着性裏面シートと、
製品を識別するための表示部と、
ラベルが容器に貼り付けられている場合に、表示部を構成し、前面部から容易に分離可能である前面部の一部と、表示部に貼り付けたままにする裏面シートの一部と粘着性裏面からはがすことが可能である裏面シートの他の部分とを備え、
非粘着性裏面シートはロールを形成する連続的な材料を構成する。
【０００９】
本発明の最良の形態を示す添付の図を参照することによって、本発明は容易に理解され、実用的な効果を達成できる。
【発明を実施するための最良の形態】
【００１０】
図１に示す通り、ワインラベル１０はボトル１２に貼り付けられており、図２に最もわかりやすく示す通り、収集または後で参照するために、タブ１５をはがすことによって容易に分離することができるはぎ取り式の(tear-out)表示部１４を有する。
【００１１】
図３は図１に示すラベルをＡＡ線に沿って切り取った断面立体図であり、ラベリング証印を表示する前面部１６及び粘着性裏面１８を有するラベル１０の構成を示す。前面部１６はワインを識別するための表示部１４を備え、図２に示すように、ラベル１０がボトルに貼り付けられる場合、前面部１６から容易に分離可能である。
【００１２】
ラベル１０は粘着性裏面１８に密着する非粘着性裏面シート１７、１９を備える。裏面シートは紙または紙状の台紙１７および非粘着層１９を周知の方法で備える。前面部１６にある切り取り線２０によって前面部から表示部１４を分離することが容易になり、該切り取り線は非粘着層１９によって粘着性裏面１８に密着させる裏面シート１７まで達している。
【００１３】
さらに、裏面シート１７は、図４および５で示すように、切り取り線２０に隣接した外側にある２１で切断されており、ボトル１２にラベル１０を貼り付けるための粘着性裏面１８から裏面シート１７の残り部分２４がはがされる場合、裏面シート１７の一部２２は表示部１４に接着したままである。さらに、切り込み部(cut)２１は切り取り線２０の内部に設けることもでき、この好ましい実施形態においては、粘着性のある細い一片が表示部１４の縁部の下方側に付着したままとなる。
【００１４】
使用の際には、図４〜７に最もわかりやすく示されるように、容器に入ったワインまたは他の製品は本発明のラベル１０でラベリングされ、該ラベルは、ラベリング証印を表示するための前面部を有し、ワインを識別するための表示部１４、粘着性裏面１８および粘着性裏面１８に密着する非粘着性裏面シート１７を有する。図５に示すように、裏面シート１７の一部２４は粘着性裏面１８からはがされ、裏面シート１７の他の部分２２が表示部１４に接着したままとなる。裏面シート１７の一部２４がはがされる時に露出する粘着性裏面１８によって、ラベル１０はボトルに貼り付けられる。図６および７に示すように、ラベル１０がボトルに貼り付けられる場合、表示部１４は前面部１６から容易に分離可能であり、ラベル１０の一部２３はボトルに貼り付けられたままの状態となる。
【００１５】
粘着性裏面１８に密着する非粘着性裏面シート１７、１９は非粘着性裏面シート材料の連続した全長の一部でもよく、周知の方法でロールに巻いてもよいと考えられる。
【００１６】
本発明のラベルは周知のラベルよりも多くの用途および利点を有すると考えられる。例えば、本発明によってラベリングされたワインは、レストラン等で味わわれ、話題にのぼる場合、表示部がはがされ、思い出の品、土産、コレクション等として保持され、従ってワインの名前や詳細を紙に書くことが不要となる。表示部の粘着層１８を露出させるために非粘着部２２をはがすことにより、表示部１４は容易にスクラップブック等に貼付可能である。
【００１７】
ワインラベルを湿らせてはがす作業も不要となる。この作業は接着粘着剤を使用し、はがす試みによってラベルが台無しになるという結果をしばしば引き起こすほど粘着性が強い、より現代的なラベルにはあまり効果がない。
【００１８】
本発明はラベルを貼り付けた製品の販売促進を行うにあたっても有益である。例えばラベルからはがされる表示部に付与した番号に応じて商品を提供することも可能である。
【００１９】
上記は本発明の説明的な例として示され、種々の改良及び変更が可能であることは当業者には明白であり、本発明の広範囲な意図はここに示されている。
【図面の簡単な説明】
【００２０】
【図１】図１はワインボトルに貼られた本発明によるラベルの概略図である。
【図２】図２は図１のラベルの表示部が部分的にはがされたことを示すラベルの概略図である。
【図３】図３は図１のラベルのＡＡ線に沿って切り取った断面立体図である。
【図４】図４は非粘着性裏面が貼り付けられているラベルの背面の概略図である。
【図５】図５は非粘着性裏面がはがされたラベルの背面の概略図である。
【図６】図６は表示部が貼り付けられたままであるラベルの前面の概略図である。
【図７】図７は表示部がはがされたラベルの前面の概略図である。
【国際公開パンフレット】
2005501299.tif 000003
2005501299.tif 000004
2005501299.tif 000005
2005501299.tif 000006
2005501299.tif 000007
2005501299.tif 000008
2005501299.tif 000009
2005501299.tif 000010
2005501299.tif 000011
2005501299.tif 000012
2005501299.tif 000013
【国際公開パンフレット（コレクトバージョン）】
2005501299.tif 000014
2005501299.tif 000015
【国際調査報告】
2005501299.tif 000016
2005501299.tif 000017
2005501299.tif 000018